(57)【特許請求の範囲】
【請求項１】
第１方向に順次に配列された複数個のカットからなる第１レイヤを含む漫画データの表示領域を表示する表示部と、
ユーザから、第１ユーザイベント信号または第２ユーザイベント信号を受信する受信部と、
前記第１ユーザイベント信号の受信に対応して、前記第１レイヤを第１方向に移動しながら前記表示部に表示し、前記第２ユーザイベント信号の受信に対応して、第２レイヤを前記第１方向と逆方向である第２方向に移動しながら前記表示部に表示し、前記第２ユーザイベント信号が受信されると既表示の前記第１レイヤの表示を終了し、前記第２レイヤを表示するように制御する制御部と、
を含むことを特徴とする漫画データ表示装置。
【請求項２】
前記受信部は、
前記ユーザから、スクロール入力、方向キー入力、動きがあるタッチ入力のうち一つを受信することを特徴とする請求項１に記載の漫画データ表示装置。
【請求項３】
前記第２レイヤは、前記第１レイヤに含まれたオブジェクトに係わる広告情報を含むことを特徴とする請求項１に記載の漫画データ表示装置。
【請求項４】
前記第２レイヤは、前記漫画データに対する１回以上のリピート読みを誘導する誘導情報を含むことを特徴とする請求項１に記載の漫画データ表示装置。
【請求項５】
前記制御部は、
前記第１レイヤの最後のカットまで前記表示部に表示された後にだけ、前記第２ユーザイベント信号の受信に対応して、前記第２レイヤを第２方向に移動しながら前記表示部に表示するように制御することを特徴とする請求項１に記載の漫画データ表示装置。
【請求項６】
前記制御部は、
前記第１レイヤの所定の臨界点まで前記表示部に表示した後であれば、前記第２ユーザイベント信号の受信に対応して、前記第２レイヤを第２方向に移動しながら前記表示部に表示するように制御することを特徴とする請求項１に記載の漫画データ表示装置。
【請求項７】
前記制御部は、
前記第１レイヤの最後のカットまで前記表示部に表示した後に、前記第１ユーザイベント信号の受信、または前記第２ユーザイベント信号の受信に対応して、前記第２レイヤを前記表示部に表示するように制御することを特徴とする請求項１に記載の漫画データ表示装置。
【請求項８】
表示部が第１方向に順次に配列された複数個のカットからなる第１レイヤを含む漫画データの表示領域を表示するステップと、
受信部がユーザから、第１ユーザイベント信号または第２ユーザイベント信号を受信するステップと、
制御部が前記第１ユーザイベント信号の受信に対応して、前記第１レイヤを第１方向に移動しながら前記表示部に表示し、前記第２ユーザイベント信号の受信に対応して、第２レイヤを前記第１方向と逆方向である第２方向に移動しながら前記表示部に表示するように制御するステップと、
を含み、
前記制御するステップは、
前記第２ユーザイベント信号が受信されると、既表示の前記第１レイヤの表示を終了し、前記第２レイヤを表示するように制御するステップを含むことを特徴とする漫画データ表示方法。
【請求項９】
前記受信するステップは、
前記ユーザから、スクロール入力、方向キー入力、動きがあるタッチ入力のうち一つを受信するステップを含むことを特徴とする請求項８に記載の漫画データ表示方法。
【請求項１０】
前記第２レイヤは、前記第１レイヤに含まれたオブジェクトに係わる広告情報を含むことを特徴とする請求項８に記載の漫画データ表示方法。
【請求項１１】
前記第２レイヤは、前記漫画データに対する１回以上のリピート読みを誘導する誘導情報を含むことを特徴とする請求項８に記載の漫画データ表示方法。
【請求項１２】
前記制御するステップは、
前記第１レイヤの最後のカットまで前記表示部に表示された後にだけ、前記第２ユーザイベント信号の受信に対応して、前記第２レイヤを第２方向に移動しながら前記表示部に表示するように制御するステップを含むことを特徴とする請求項８に記載の漫画データ表示方法。
【請求項１３】
前記制御するステップは、
前記第１レイヤの所定の臨界点まで前記表示部に表示した後であれば、前記第２ユーザイベント信号の受信に対応して、前記第２レイヤを第２方向に移動しながら前記表示部に表示するように制御するステップを含むことを特徴とする請求項８に記載の漫画データ表示方法。
【請求項１４】
前記制御するステップは、
前記第１レイヤの最後のカットまで前記表示部に表示した後に、前記第１ユーザイベント信号の受信、または前記第２ユーザイベント信号の受信に対応して、前記第２レイヤを前記表示部に表示するように制御することを含むことを特徴とする請求項８に記載の漫画データ表示方法。
【請求項１５】
コンピュータを利用して、請求項８〜１４のうちいずれか１項に記載の方法を実行させるために媒体に保存されたコンピュータプログラム。
【発明の詳細な説明】
【技術分野】
【０００１】
本発明は、漫画データ表示装置及びその方法に関する。
【背景技術】
【０００２】
漫画は、ユーモア、冗談、風刺などを通じて、対象の性格を誇張したり省略したりし、人生や社会を風刺、批判する絵であり、その内容によって、純情、武侠、アクション、コミック、スポーツ、ＳＦ（science fiction）など多様に区分される。漫画は、絵（イメージ）及び文字（テキスト）という視覚的体系を使用し、人間の複雑な態度を示すことにより、単に文字だけからなる一般書籍に比べ、読者の関心を引くのにさらに効果的である。
【０００３】
一方、最近、通信技術の発展により、漫画は、伝統的な漫画本から脱し、インターネットなどを介してサービスされている。
【０００４】
前述の背景技術は、発明者が本発明導出のために保有していたり、本発明の導出過程において習得したりした技術情報であり、必ずしも本発明の出願前に一般公衆に公開された公知技術とすることはできない。
【発明の概要】
【発明が解決しようとする課題】
【０００５】
前述の問題点及び／または限界を解決するために案出されたものであり、第１方向での漫画データの鑑賞中、第２方向に移動する場合、第１ストーリーの漫画データカットの表示を終了し、第２ストーリーの漫画データを提供することにより、漫画データを鑑賞するユーザに漫画データに対する興味を誘発させることを目的の一つとする。
【０００６】
また、第１方向での漫画データの鑑賞中、第２方向に移動する場合、第１ストーリーの漫画データカットの表示を終了し、第１ストーリーの漫画データカットに含まれたオブジェクトに係わる広告情報を提供することにより、漫画データを鑑賞するユーザに漫画データに対する興味を誘発させることを目的の一つとする。
【０００７】
また、第１方向での漫画データの鑑賞中、第２方向に移動する場合、第１ストーリーの漫画データカットの表示を終了し、第１ストーリーの漫画データに対する１回以上のリピート読み（繰り返して読むこと）を誘導する誘導情報を提供することにより、漫画データを鑑賞するユーザに漫画データに対する興味を誘発させることを目的の一つとする。
【課題を解決するための手段】
【０００８】
本発明の一実施形態による漫画データ表示装置は、漫画データの表示領域を表示する表示部と、ユーザから、第１ユーザイベント信号または第２ユーザイベント信号を受信する受信部と、前記第１ユーザイベント信号の受信に対応して、第１レイヤを第１方向に移動しながら前記表示部に表示し、前記第２ユーザイベント信号の受信に対応して、第２レイヤを第２方向に移動しながら前記表示部に表示するように制御する制御部と、を含んでもよい。
【０００９】
前記受信部は、前記ユーザから、スクロール入力、方向キー入力、動きがあるタッチ入力のうち一つを受信することができる。
【００１０】
前記第２レイヤは、前記第１レイヤに含まれたオブジェクトに係わる広告情報を含んでもよい。
【００１１】
前記第２レイヤは、前記漫画データに対する１回以上のリピート読みを誘導する誘導情報を含んでもよい。
【００１２】
前記制御部は、前記第２ユーザイベント信号が受信されると、前記第１レイヤと前記第２レイヤとを重畳させて表示するように制御することができる。
【００１３】
前記制御部は、前記第２ユーザイベント信号が受信されると、前記第１レイヤの表示を終了し、前記第２レイヤを表示するように制御することができる。
【００１４】
前記制御部は、前記第１レイヤの最後のカットまで前記表示部に表示された後にだけ、前記第２ユーザイベント信号の受信に対応して、前記第２レイヤを第２方向に移動しながら前記表示部に表示するように制御することができる。
【００１５】
前記制御部は、前記第１レイヤの所定の臨界点まで前記表示部に表示した後であれば、前記第２ユーザイベント信号の受信に対応して、前記第２レイヤを第２方向に移動しながら前記表示部に表示するように制御することができる。
【００１６】
前記制御部は、前記第１レイヤの最後のカットまで前記表示部に表示した後は、前記第１ユーザイベント信号の受信または前記第２ユーザイベント信号の受信に対応して、前記第２レイヤを前記表示部に表示するように制御することができる。
【００１７】
本発明の一実施形態による漫画データ表示方法は、表示部が漫画データの表示領域を表示するステップと、受信部がユーザから、第１ユーザイベント信号または第２ユーザイベント信号を受信するステップと、制御部が前記第１ユーザイベント信号の受信に対応して、第１レイヤを第１方向に移動しながら前記表示部に表示し、前記第２ユーザイベント信号の受信に対応して、第２レイヤを第２方向に移動しながら前記表示部に表示するように制御するステップと、を含んでもよい。
【００１８】
前記受信するステップは、前記ユーザから、スクロール入力、方向キー入力、動きがあるタッチ入力のうち一つを受信するステップを含んでもよい。
【００１９】
前記第２レイヤは、前記第１レイヤに含まれたオブジェクトに係わる広告情報を含んでもよい。
【００２０】
前記第２レイヤは、前記漫画データに対する１回以上のリピート読みを誘導する誘導情報を含んでもよい。
【００２１】
前記制御するステップは、前記第２ユーザイベント信号が受信されると、前記第１レイヤと前記第２レイヤとを重畳させて表示するように制御するステップを含んでもよい。
【００２２】
前記制御するステップは、前記第２ユーザイベント信号が受信されると、前記第１レイヤの表示を終了し、前記第２レイヤを表示するように制御するステップを含んでもよい。
【００２３】
前記制御するステップは、前記第１レイヤの最後のカットまで前記表示部に表示した後にだけ、前記第２ユーザイベント信号の受信に対応して、前記第２レイヤを第２方向に移動しながら前記表示部に表示するように制御するステップを含んでもよい。
【００２４】
前記制御するステップは、前記第１レイヤの所定の臨界点まで前記表示部に表示した後であれば、前記第２ユーザイベント信号の受信に対応して、前記第２レイヤを第２方向に移動しながら前記表示部に表示するように制御するステップを含んでもよい。
【００２５】
前記制御するステップは、前記第１レイヤの最後のカットまで前記表示部に表示した後は、前記第１ユーザイベント信号の受信または前記第２ユーザイベント信号の受信に対応して、前記第２レイヤを前記表示部に表示するように制御するステップを含んでもよい。
【００２６】
この他にも、本発明を実現するための他の方法、他のシステム及び前記方法を実行するためのコンピュータプログラムを記録するコンピュータで読み取り可能な記録媒体がさらに提供されることができる。
【００２７】
前述したもの以外の他の側面、特徴、利点が、以下の図面、特許請求の範囲、及び発明の詳細な説明から明確になるであろう。
【発明の効果】
【００２８】
一実施形態によれば、第１方向での漫画データの鑑賞中、第２方向に移動する場合、第１ストーリーの漫画データカットの表示を終了し、第２ストーリーの漫画データを提供することにより、漫画データを鑑賞するユーザに、漫画データに対する興味を誘発させることができる。
【００２９】
また、第１方向での漫画データの鑑賞中、第２方向に移動する場合、第１ストーリーの漫画データカットの表示を終了し、第１ストーリーの漫画データカットに含まれたオブジェクトに係わる広告情報を提供することにより、漫画データを鑑賞するユーザに、漫画データに対する興味を誘発させることができる。
【００３０】
また、第１方向での漫画データの鑑賞中、第２方向に移動する場合、第１ストーリーの漫画データカットの表示を終了し、第１ストーリーの漫画データに対する１回以上のリピート読みを誘導する誘導情報を提供することにより、漫画データを鑑賞するユーザに、漫画データに対する興味を誘発させることができる。
【図面の簡単な説明】
【００３１】
【図１】本発明の一実施形態による漫画データ表示システムを示す図面である。
【図２】本発明の一実施形態による漫画データ表示装置（２００）を示すブロック図である。
【図３】本発明の一実施形態による漫画データ表示装置が表示する画面の一例である。
【図４】本発明の一実施形態による漫画データ表示装置が表示する画面の一例である。
【図５】本発明の一実施形態による漫画データ表示装置が表示する画面の一例である。
【図６】本発明の一実施形態による漫画データ表示装置が表示する画面の一例である。
【図７】本発明の一実施形態による漫画データ表示方法を示すフローチャートである。
【発明を実施するための形態】
【００３２】
本発明の利点、特徴、及びそれらを達成する方法は、添付される図面と共に詳細に説明される実施形態を参照すれば、明確になるであろう。しかし、本発明は、以下で提示される実施例に限定されるものではなく、互いに異なる多様な形態によって実現され、本発明の思想及び技術範囲に含まれる全ての変換、均等物ないし代替物を含むものであると理解されなければならない。以下に提示される実施形態は、本発明の開示を完全なものにし、本発明が属する技術分野で当業者に、発明の範疇を完全に知らせるために提供されているものである。本発明の説明において、関連する公知技術に係わる具体的な説明が、本発明の要旨を不明確にすると判断される場合、その詳細な説明を省略する。
【００３３】
本出願で使用された用語は、単に特定の実施例を説明するために使用されたものであり、本発明を限定する意図ではない。単数の表現は、文脈上明白に異なって意味しない限り、複数の表現を含む。本出願として、「含む」または「有する」というような用語は、明細書上に記載された特徴、数、ステップ、動作、構成要素、部品、またはそれらの組み合わせが存在するということを指定するものであり、１またはそれ以上の他の特徴、数、ステップ、動作、構成要素、部品、またはそれらの組み合わせの存在または付加の可能性をあらかじめ排除するものではないと理解されなければならない。第１、第２のような用語は、多様な構成要素の説明に使われるが、該構成要素は、前記用語によって限定されるものではない。前記用語は、１つの構成要素を他の構成要素から区別する目的だけに使用される。
【００３４】
明細書全体において、「漫画データ」とは、漫画作家によって作成されたデータであり、１回に提供される分量の漫画データを含んで構成され、１つの漫画データは、複数のカットを含んで構成されることができる。ここで、該カットは、１つの場面を含むデータであり、イメージまたはテキストを含む１以上のレイヤを含んでもよい。該漫画データは、それぞれのカットがイメージファイルとして個別的に含まれる。また、表示領域は、漫画データの全部または一部であり、表示部を介してユーザに表示される領域を含んでもよい。
【００３５】
以下、本発明による実施形態について、添付された図面を参照して詳細に説明するが、添付図面を参照しての説明において、同一であるか、あるいは対応する構成要素は、同一図面番号を付し、それに係わる重複説明は省略する。
【００３６】
図１は、本発明の一実施形態による漫画データ表示システム（１０）を示す図面である。図１を参照すると、本発明の一実施形態による漫画データ表示システム（１０）は、漫画データサーバ（１００）、漫画データ表示装置（２００）及び通信網（３００）を含むことができる。
【００３７】
漫画データサーバ（１００）は、ユーザ端末機に、漫画データまたは漫画データ表示手段を提供することができる。漫画データサーバ（１００）は、作家別、話順別、作品別、曜日別に区分して提供される漫画データを提供し、連載が終わった作品も提供することができる。漫画データサーバ（１００）は、ユーザ端末機からの要請に応じて、選択的に漫画データを提供することができる。漫画データサーバ（１００）は、ユーザ端末機に、漫画データ表示装置（２００）を、１つのアプリケーションとして、通信網（３００）を介して伝送することができる。
【００３８】
漫画データ表示装置（２００）は、漫画データサーバ（１００）から受信された漫画データ、または保存された漫画データを、ユーザイベントに対応させて表示する装置である。漫画データ表示装置（２００）は、漫画データの最初のカットから最後のカットまでを、１つのページで表示するか、あるいは複数のページに分割して表示することができる。漫画データ表示装置（２００）は、ユーザイベントに対応させて、漫画データを移動させながらユーザ端末機の表示部を介して表示される表示領域を変更しながら、漫画データを表示することができる。
【００３９】
複数の漫画データ表示装置（２００）は、有線・無線通信環境でウェブサービスを利用することができる通信端末機を意味する。ここで、漫画データ表示装置（２００）は、ユーザのＰＣ（personal computer）２０１でもよく、ユーザの携帯用端末２０２でもよい。図１としては、携帯用端末機２０２がスマートフォンとして図示されているが、本発明の思想は、それに制限されるものではなく、前述のようにウェブブラウジングが可能なアプリケーションを搭載した端末は、制限なしに使用される。
【００４０】
これについてさらに詳細に説明すれば、漫画データ表示装置（２００）は、コンピュータ（例えば、デスクトップ、ラップトップ、タブレットなど）、メディアコンピュータプラットホーム（例えば、ケーブル、衛星セットトップボックス、デジタルビデオレコーダ）、ハンドヘルドコンピュータデバイス（例えば、ＰＤＡ（personal digital assistant）、電子メールクライアントなど）、携帯電話の任意の形態、または他種のコンピュータまたはコミュニケーションプラットホームの任意形態を含んでもよいが、本発明は、それらに限定されるものではない。
【００４１】
一方、通信網（３００）は、複数の漫画データ表示装置（２００）と漫画データサーバ１００とを接続する役割を行う。すなわち、通信網（３００）は、漫画データ表示装置（２００）が漫画データサーバ（１００）に接続した後、データを送受信することができるように、接続経路を提供する通信網を意味する。通信網（３００）は、例えば、ＬＡＮｓ（local area networks）、ＷＡＮｓ（wide area networks）、ＭＡＮｓ（metropolitan area networks）、ＩＳＤＮｓ（integrated service digital networks）などの有線ネットワークや無線ＬＡＮｓ、ＣＤＭＡ、ブルートゥース（登録商標）、衛星通信などの無線ネットワークを網羅することができるが、本発明の範囲は、それらに限定されるものではない。通信網（３００）は、他のネットワーク装置と、有線又は無線接続を介して、制御信号またはデータ信号のような信号を送受信するために必要なハードウェア及びソフトウェアを含む装置であってもよい。
【００４２】
図２は、本発明の一実施形態による漫画データ表示装置（２００）を示すブロック図である。図２を参照すると、漫画データ表示装置（２００）は、通信部（２１０）、保存部（２２０）、表示部（２３０）、音響出力部（２４０）、受信部（２５０）及び制御部（２６０を）含んでもよい。
【００４３】
通信部（２１０）は、漫画データ表示装置（２００）と漫画データサーバ（１００）との通信を可能にする１以上の構成要素を含んでもよい。例えば、通信部（２１０）は、近距離通信部（short-range wireless communication unit）、移動通信部を含んでもよい。近距離通信部は、ブルートゥース（登録商標）通信部、ＢＬＥ（Bluetooth（登録商標） low energy）通信部、近距離無線通信部（near field communication unit）、ＷＬＡＮ（無線ＬＡＮ）通信部、ジグビー（Zigbee）通信部、赤外線（ＩｒＤＡ：infrared data association）通信部、ＷＦＤ（Ｗｉ−Ｆｉ direct）通信部、ＵＷＢ（ultra wideband）通信部、Ａｎｔ＋通信部などを含んでもよいが、これらに限定されるものではない。移動通信部は、移動通信網上で、基地局、外部の端末、サーバのうち少なくとも一つと無線信号を送受信することができる。ここで、該無線信号は、音声号信号、画像通話号信号、または文字／マルチメディアメッセージ送受信による多様な形態のデータを含んでもよい。通信部（２１０）は、漫画データサーバ（１００）と通信し、漫画データを獲得することができ、漫画データサーバ（１００）から、漫画データ表示のためのアプリケーションを獲得することもできる。
【００４４】
保存部（２２０）は、通信部（２１０）を介して取得された漫画データを保存することができる。また、保存部（２２０）は、漫画データと関連して取得した効果音、背景音と係わる音響信号などを含むオーディオデータを保存することができる。保存部（２２０）は、制御部（２６０）が処理する漫画データを、一時的または永久的に保存する機能を実行することができる。ここで、保存部（２２０）は、磁気記録媒体（magnetic storage media）またはフラッシュ記録媒体（flash storage media）を含んでもよいが、本発明の範囲は、それらに限定されるものではない。
【００４５】
表示部（２３０）は、漫画データを表示し、漫画データに対するユーザイベントと対応させて、前記漫画データを移動させながら表示することができる。一方、表示部（２３０）とタッチパッドとがレイヤ構造をなして、タッチスクリーンとして構成される場合、表示部（２３０）は、出力装置に加えて、入力装置としても使用されることができる。表示部（２３０）は、液晶ディスプレイ（liquid crystal display）、薄膜トランジスタ液晶ディスプレイ（thin film transistor-liquid crystal display）、有機発光ダイオード（organic light-emitting diode）、フレキシブルディスプレイ（flexible display）、三次元ディスプレイ（３Ｄ display）、電気泳動ディスプレイ（electrophoretic display）のうち少なくとも一つを含んでもよい。
【００４６】
音響出力部（２４０）は、通信部から受信されたり、保存部（２２０）に保存されたオーディオデータを出力する。また、音響出力部（２４０）は、漫画データに含まれた効果音、背景音と係わる音響信号を出力する。このような音響出力部（２４０）には、スピーカ（speaker）、ブザー（buzzer）などが含まれることができる。
【００４７】
また、音響出力部（２４０）は、振動モータ（図示せず）をさらに含んでもよい。振動モータは、振動信号を出力することができる。例えば、振動モータは、オーディオデータまたはイメージデータ（例えば、漫画データに含まれた効果音、背景音）の出力に対応する振動信号を出力することができる。また、振動モータは、タッチスクリーンにタッチが入力される場合、振動信号を出力することもできる。
【００４８】
受信部（２５０）は、ユーザが漫画データ表示装置を制御するためのデータを受信する手段を意味する。例えば、受信部（２５０）は、キーパッド（key pad）、ドームスイッチ（dome switch）、タッチパッド（接触式静電容量方式、圧力式抵抗膜方式、赤外線感知方式、表面超音波伝導方式、積分式張力測定方式、ピエゾ効果方式など）、ジョグホイール、ジョグスイッチなどから受信されるユーザデータを含んでもよいが、これらに限定されるものではない。
【００４９】
受信部（２５０）は、ユーザ入力を受信することができる。例えば、受信部（２５０）は、ユーザから、第１ユーザイベント信号または第２ユーザイベント信号を受信することができる。
【００５０】
ここで、第１ユーザイベント信号とは、漫画データに対して、第１方向を有するスクロール入力、方向キー入力、動きがあるタッチ入力を含んでもよい。ここで、第１方向とは、表示部２３０上で、漫画データを順次に移動させる順方向、例えば、任意の地点をスタートにして、上方へ向かう方向を含んでもよい。
【００５１】
また、第２ユーザイベント信号とは、漫画データに対して、第２方向を有するスクロール入力、方向キー入力、動きがあるタッチ入力を含んでもよい。ここで、第２方向とは、表示部２３０上で、漫画データを反対に移動させる逆方向、例えば、任意の地点をスタートとにして、下方へ向かう方向を含んでもよい。
【００５２】
制御部（２６０）は、表示部（２３０）を介して、漫画データが表示されるように制御することができる。このような制御部（２６０）は、漫画データ表示装置（２００）全体の動作を制御するプロセッサ（processor）のように、データを処理することができる全ての種類の装置を含んでもよい。ここで、「プロセッサ（processor）」は、例えば、プログラム内に含まれたコードまたは命令によって表現された機能を実行するために、物理的に構造化された回路を有する、ハードウェアに内蔵されたデータ処理装置を意味することができる。このように、ハードウェアに内蔵されたデータ処理装置の一例として、マイクロプロセッサ（microprocessor）、中央処理装置（ＣＰＵ：central processing unit）、プロセッサコア（processor core）、マルチプロセッサ（multiprocessor）、ＡＳＩＣ（application-specific integrated circuit）、ＦＰＧＡ（field programmable gate array）などの処理装置を網羅することができるが、本発明の範囲は、これらに限定されるものではない。
【００５３】
制御部（２６０）は、第１ユーザイベント信号の受信に対応して、第１レイヤを第１方向（例えば、順序方向）に移動しながら表示部（２３０）に表示し、第２ユーザイベント信号の受信に対応して、第２レイヤを第２方向（例えば、逆方向）に移動しながら表示部（２３０）に表示するように制御することができる。
【００５４】
ここで、第１レイヤは、漫画データのメインカットを含んでもよく、第２レイヤは、メインカットとしての第１レイヤに追加されて保存されているサブカットとしての追加レイヤであってもよい。第２レイヤは、第２ユーザイベント信号が受信されなければ表示されず、第２ユーザイベント信号が受信されれば表示される。
【００５５】
また、第２レイヤは、異なるイメージまたはテキストを含んでもよく、第２レイヤは、メインカットとしての第１レイヤとの比較時に変形されるか、あるいは他のストーリーを生成することができる。従って、第１レイヤが第１ストーリーを有する漫画データであるならば、第２レイヤは、第２ストーリーを有する漫画データであってもよい。
【００５６】
また、第２レイヤは、メインカットとしての第１レイヤで構成される第１ストーリーに含まれたオブジェクトに係わる広告情報を含んでもよい。このような広告情報は、表示部（２３０）に表示されたオブジェクト、例えば、飲み物、ラーメン、家電製品などに係わる広告情報を含んでもよい。
【００５７】
また、第２レイヤは、メインカットとしての第１レイヤで構成される漫画データに対する１回以上のリピート読み（繰り返して読むこと）を誘導する誘導情報を含んでもよい。このような誘導情報は、メインカットとしての第１レイヤで構成される第１ストーリーで発生した事件に対する解決糸口を提供したり、次回分のメインカットとしての第１レイヤで構成される第１ストーリーで発生する事件について例示する伏線アイテム、またはメインカットとしての第１レイヤで構成される第１ストーリーに追加される新たなアイテム（例えば、「幽霊」を表現する恐怖アイテムなど）などを含んでもよい。
【００５８】
本実施形態において、第２レイヤを、広告情報または誘導情報に限定して説明しているが、前記内容に限られず、作家の意図に応じて様々なイメージ及び／またはテキストによっても実現されてもよい。
【００５９】
任意の実施例において、制御部（２６０）は、第１ユーザイベント信号の受信に対応して、第１レイヤを第１方向に移動しながら表示部（２３０）に表示し、第２ユーザイベント信号の受信に対応して、表示部（２３０）に第１レイヤの表示を終了し、第２レイヤの表示を開始しながら、第２レイヤを第２方向に移動させることができる。
【００６０】
任意の実施例において、制御部（２６０）は、第１ユーザイベント信号の受信に対応して、第１レイヤを第１方向（例えば、順序方向）に移動しながら表示部（２３０）に表示し、第２ユーザイベント信号の受信に対応して、第１レイヤ及び第２レイヤを重畳させ、第２方向（例えば、逆方向）に移動しながら表示部（２３０）に表示するように制御することができる。ここで、第２レイヤは、第１レイヤに追加される広告情報または誘導情報のみを表示したレイヤであってもよく、第２レイヤは、第１レイヤと重畳されて、完全な１カットの漫画データを表現することができる。
【００６１】
前述では、制御部（２６０）が第１レイヤまたは第２レイヤそれぞれを、表示部（２３０）に表示するのに対し、本実施形態では、第１レイヤ及び第２レイヤを重畳させた結果を表示部（２３０）に表示するという違いがある。
【００６２】
任意の実施例において、制御部（２６０）は、第１レイヤの最後のカットまで表示部（２３０）に表示した後に、第２ユーザイベント信号の受信に対応して、第２レイヤを第２方向に移動しながら表示部（２３０）に表示するように制御することができる。
【００６３】
任意の実施例において、制御部（２６０）は、第１レイヤの所定の臨界点まで表示部（２３０）に表示した後であれば、第２ユーザイベント信号の受信に対応して、第２レイヤを第２方向に移動しながら表示部（２３０）に表示するように制御することができる。
【００６４】
任意の実施例において、制御部（２６０）は、第１レイヤの最後のカットまで表示部（２３０）に表示した後は、第１ユーザイベント信号の受信または第２ユーザイベント信号の受信に対応して、第２レイヤを表示部（２３０）に表示するように制御することができる。
【００６５】
図３は、本発明の一実施形態による、携帯用端末機（２０２）としての漫画データ表示装置（２００）が表示する画面の一例である。図３を参照すると、携帯用端末機（２０２）上には、漫画データが表示されているが、例えば、毎日連載される漫画データのうち、任意の日付に提供される全体の漫画データが表示されている。
【００６６】
携帯用端末機（２０２）は、第１ユーザイベント信号の受信に対応して、第１方向（順序方向）に第１ストーリーを有する第１レイヤを表示することができる。ここで、第１レイヤは、複数の漫画データカットを含んでもよい。また、第１ユーザイベント信号が受信されるたびに、第１レイヤ全体のうち一定距離だけ第１方向（順序方向）に移動した第１レイヤのカットが携帯用端末機（２０２）上に表示され、複数回の第１ユーザイベント信号が受信されると、第１レイヤの最後カットが、携帯用端末機（２０２）上に表示されることができる。
【００６７】
図４は、本発明の他の実施形態による、携帯用端末機（２０２）としての漫画データ表示装置（２００）が表示する画面の一例である。図４を参照すると、複数回の第１ユーザイベント信号を受信して、第１レイヤの最後のカットが携帯用端末機（２０２）上に表示された状態で、第２ユーザイベント信号が受信されると、携帯用端末機２０２上に、第２方向（逆方向）に、広告情報（４１０〜４６０）を含む第２ストーリーを有する第２レイヤを表示することができる。
【００６８】
ここで、第２ユーザイベント信号が受信されるたびに、第２レイヤ全体のうち、一定距離だけ第２方向（逆方向）に移動し、広告情報（４１０〜４６０）を含んだ第２レイヤのカットが、携帯用端末機２０２上に表示され、複数回の第２ユーザイベント信号が受信されると、第２レイヤの最初カットが携帯用端末機２０２上に表示されることができる。
【００６９】
また、第１レイヤの最後のカットが携帯用端末機（２０２）上に表示されなくても、第２ユーザイベント信号が受信されれば、第２ユーザイベント信号が受信された時点までの第１レイヤのカットに対して、広告情報（４１０〜４６０）を含む第２レイヤのカットを表示することができる。すなわち、所定の臨界点を決めておき、ユーザが第１レイヤのカットを臨界点以上閲覧すれば、敢えて第１レイヤの最後のカットまで閲覧をしなくても、第２ユーザイベント信号が受信されると、第２ユーザイベント信号が受信された時点までの第１レイヤのカットに対して、広告情報（４１０〜４６０）を含む第２レイヤのカットが表示されることができる。
【００７０】
また、第１レイヤの最後のカットが携帯用端末機（２０２）上に表示された後に、第１ユーザイベント信号または第２ユーザイベント信号が受信されると、広告情報（４１０〜４６０）を含む第２レイヤのカットを表示することができる。
【００７１】
図５は、本発明のさらに他の実施形態による、携帯用端末機（２０２）としての漫画データ表示装置（２００）が表示する画面の一例である。図５を参照すると、複数回の第１ユーザイベント信号を受信して、第１レイヤの最後のカットが携帯用端末機（２０２）上に表示された状態で、第２ユーザイベント信号が受信されると、携帯用端末機（２０２）上に、第２方向（逆方向）に、誘導情報のうち伏線アイテム（５１０〜５３０）を含む第２ストーリーを有する第２レイヤを表示することができる。
【００７２】
ここで、第２ユーザイベント信号が受信されるたびに、第２レイヤ全体のうち一定距離だけ第２方向（逆方向）に移動し、誘導情報のうち伏線アイテム（５１０〜５３０）を含んだ第２レイヤのカットが携帯用端末機（２０２）上に表示され、複数回の第２ユーザイベント信号が受信されると、第２レイヤの最初カットが携帯用端末機２０２上に表示されることができる。
【００７３】
また、第１レイヤの最後のカットが携帯用端末機（２０２）上に表示されなくても、第２ユーザイベント信号が受信されれば、第２ユーザイベント信号が受信された時点までの第１レイヤのカットに対して、誘導情報のうち伏線アイテム（５１０〜５３０）を含む第２レイヤのカットを表示することができる。すなわち、所定の臨界点を決めておき、ユーザが第１レイヤのカットを臨界点以上閲覧すれば、敢えて第１レイヤの最後のカットまで閲覧を行わなくても、第２ユーザイベント信号が受信されれば、第２ユーザイベント信号が受信された時点までの第１レイヤのカットに対して、誘導情報のうち伏線アイテム（５１０〜５３０）を含む第２レイヤのカットが表示されることができる。
【００７４】
また、第１レイヤの最後のカットが携帯用端末機（２０２）上に表示された後に、第１ユーザイベント信号または第２ユーザイベント信号が受信されると、誘導情報のうち伏線アイテム（５１０〜５３０）を含む第２レイヤのカットを表示することができる。
【００７５】
図６は、本発明のさらに他の実施形態による、携帯用端末機（２０２）としての漫画データ表示装置（２００）が表示する画面の一例である。図６を参照すると、複数回の第１ユーザイベント信号を受信して、第１レイヤの最後のカットが携帯用端末機（２０２）上に表示された状態で、第２ユーザイベント信号が受信されると、携帯用端末機（２０２）上に第２方向（逆方向）に、誘導情報のうち恐怖アイテム（６１０〜６３０）を含む第２ストーリーを有する第２レイヤを表示することができる。
【００７６】
ここで、第２ユーザイベント信号が受信されるたびに、第２レイヤ全体のうち一定距離だけ第２方向（逆方向）に移動し、誘導情報のうち恐怖アイテム（６１０〜６３０）を含んだ第２レイヤのカットが携帯用端末機（２０２）上に表示され、複数回の第２ユーザイベント信号が受信されると、第２レイヤの最初カットが携帯用端末機（２０２）上に表示されることができる。
【００７７】
また、第１レイヤの最後のカットが携帯用端末機（２０２）上に表示されなくても、第２ユーザイベント信号が受信されれば、第２ユーザイベント信号が受信された時点までの第１レイヤのカットに対して、誘導情報のうち、恐怖アイテム（６１０〜６３０）を含む第２レイヤのカットを表示することができる。すなわち、所定の臨界点を決めておき、ユーザが、第１レイヤのカットを臨界点以上閲覧すれば、敢えて第１レイヤの最後のカットまで閲覧をしていなくても、第２ユーザイベント信号が受信されれば、第２ユーザイベント信号が受信された時点までの第１レイヤのカットに対して、誘導情報のうち、恐怖アイテム（６１０〜６３０）を含む第２レイヤのカットが表示されることができる。
【００７８】
また、第１レイヤの最後のカットが携帯用端末機（２０２）上に表示された後に、第１ユーザイベント信号または第２ユーザイベント信号が受信されると、誘導情報のうち、恐怖アイテム（６１０〜６３０）を含む第２レイヤのカットを表示することができる。
【００７９】
図７は、本発明の一実施形態による漫画データ表示方法を示すフローチャートである。  図７を参照すると、漫画データ表示装置（２００）は、漫画データを表示する（Ｓ１０）  。
【００８０】
漫画データ表示装置（２００）は、ユーザから、第１ユーザイベント信号または第２ユーザイベント信号を受信する（Ｓ２０）。ここで、第１ユーザイベント信号とは、漫画データに対して、第１方向を有するスクロール入力、方向キー入力、動きがあるタッチ入力を含んでもよい。ここで、第１方向とは、漫画データを順次に移動させる順方向を含んでもよい。また、第２ユーザイベント信号とは、漫画データに対して、第２方向を有するスクロール入力、方向キー入力、動きがあるタッチ入力を含んでもよい。ここで、第２方向とは、漫画データを反対に移動させる逆方向を含んでもよい。
【００８１】
漫画データ表示装置（２００）は、第１ユーザイベント信号の受信に対応して、第１レイヤを第１方向に移動しながら表示し、第２ユーザイベント信号の受信に対応して、第２レイヤを第２方向に移動しながら表示する（Ｓ３０）。ここで、第１レイヤは、漫画データのメインカットを含んでもよく、第２レイヤは、メインカットとしての第１レイヤに追加されて保存されるサブカットとしての追加レイヤであってもよい。第２レイヤは、第２ユーザイベント信号が受信されなければ表示されず、第２ユーザイベント信号が受信されると表示される。また、第２レイヤは、メインカットとしての第１レイヤで構成される第１ストーリーに含まれたオブジェクトに係わる広告情報、またはメインカットとしての第１レイヤで構成される漫画データに対する１回以上のリピート読みを誘導する誘導情報を含んでもよい。
【００８２】
任意の実施例において、漫画データ表示装置（２００）は、第１ユーザイベント信号の受信に対応して、第１レイヤを第１方向に移動しながら表示し、第２ユーザイベント信号の受信に対応して、第１レイヤの表示を終了し、第２レイヤの表示を開始しながら、第２レイヤを第２方向に移動させることができる。
【００８３】
任意の実施例として、漫画データ表示装置（２００）は、第１ユーザイベント信号の受信に対応して、第１レイヤを第１方向に移動しながら表示し、第２ユーザイベント信号の受信に対応して、第１レイヤ及び第２レイヤを重畳させて第２方向に移動しながら表示部（２３０）に表示することができる。
【００８４】
任意の実施例として、漫画データ表示装置（２００）は、第１レイヤの最後のカットまで表示された後にだけ、第２ユーザイベント信号の受信に対応して、第２レイヤを第２方向に移動しながら表示することができる。任意の実施例として、漫画データ表示装置（２００）は、第１レイヤの所定の臨界点まで表示した後であるならば、第２ユーザイベント信号の受信に対応して、第２レイヤを第２方向に移動しながら表示することができる。任意の実施例として、漫画データ表示装置（２００）は、第１レイヤの最後のカットまで表示した後に、第１ユーザイベント信号の受信または第２ユーザイベント信号の受信に対応し、第２レイヤを表示することができる。
【００８５】
以上で説明した本発明による実施例は、コンピュータ上で多様な構成要素を介して実行されるコンピュータプログラムの形態によって実装され、このようなコンピュータプログラムは、コンピュータで読み取り可能な媒体に記録される。このとき、該媒体は、ハードディスク、プロッピーディスク及び磁気テープのような磁気媒体、ＣＤ−ＲＯＭ及びＤＶＤのような光記録媒体、フロプティカルディスク（floptical disk）のような磁気−光媒体（magneto-optical medium）、及びＲＯＭ、ＲＡＭ、フラッシュメモリのような、プログラム命令を保存して実行するように特別に構成されたハードウェア装置を含んでもよい。さらに、該媒体は、ネットワーク上で伝送可能な形態に実装される無形の媒体を含んでもよく、例えば、ソフトウェア形態またはアプリケーション形態で実装され、ネットワークを介して、伝送及び流通が可能な形態の媒体でもある。
【００８６】
一方、前記コンピュータプログラムは、本発明のために特別に設計されて構成されたものであってもよく、コンピュータソフトウェア分野の当業者に公知されて使用可能なものであってもよい。該コンピュータプログラムの例としては、コンパイラによって作われるような機械語コードだけではなく、インタプリタなどを使用して、コンピュータによって実行されることができる高級言語コードも含まれてもよい。
【００８７】
本発明の明細書（特に、特許請求の範囲）において、「前記」の用語、及びそれと類似した指示用語の使用は、単数及び複数のいずれにも該当する。また、本発明において、範囲（range）を記載した場合、前記範囲に属する個々の値を適用した発明を含むものであり（これに反する記載がなければ）、発明の詳細な説明に、前記範囲を構成する各個別的な値を記載した通りである。
【００８８】
本発明による方法を構成するステップについて、明白に順序を記載したり、それと反対になる記載がない場合は、前記ステップは、適切な順序で行われる。必ずしも前記段階の記載順序によって、本発明が限定されるものではない。本発明において、全ての例、または例示的な用語（例えば、など）の使用は、単に本発明について詳細に説明するためのものであり、特許請求の範囲によって限定されない以上、前記例、または例示的な用語によって、本発明の範囲が限定されるものではない。また、当業者は、多様な修正、組み合わせ及び変更が付加された特許請求の範囲またはその均等物の範疇内で、設計条件及びファクタによって構成されるということが分かるであろう。
【００８９】
従って、本発明の思想は、前述の実施形態に限定されて決められるものではなく、後述する特許請求の範囲だけではなく、該特許請求の範囲と均等であるか、あるいはそれらから等価的に変更された全ての範囲は、本発明の思想の範疇に属するものである。
【産業上の利用可能性】
【００９０】
本発明の実施形態は、漫画データ表示装置及びその方法に係り、第１方向での漫画データの鑑賞中、第２方向に移動する場合、第１ストーリーの漫画データカットの表示を終了し、第２ストーリーの漫画データを提供することにより、漫画データを鑑賞するユーザに、漫画データに対する興味を誘発させることができる漫画データ表示装置及びその方法に利用可能である。
【図１】
0006549236.tif 000002
【図２】
0006549236.tif 000003
【図３】
0006549236.tif 000004
【図４】
0006549236.tif 000005
【図５】
0006549236.tif 000006
【図６】
0006549236.tif 000007
【図７】
0006549236.tif 000008